(57)【特許請求の範囲】
【請求項１】
時分割多重方式によるフレーム信号を用いた基地局間同期システムにおいて、１フレーム中の少なくとも１つのスロットを使用し、同期先の基地局の識別情報を含むことが可能な同期情報を送信する第１の基地局と、前記スロットから前記同期情報を受信する第２の基地局とを備え、前記第２の基地局は、この同期情報の中に自局の識別番号がないことを確認した上で、前記第１の基地局を基準としてフレームタイミング補正を行うタイミング補正手段を含むことを特徴とする基地局間同期システム。
【請求項２】
前記第１及び第２の基地局は、フレーム毎に前記同期情報の取得及び前記フレームタイミング補正を行うことを特徴とする請求項１記載の基地局間同期システム。
【請求項３】
前記タイミング補正手段は、前記スロットを受信したタイミングと前記第２の基地局が保持するタイマからのタイミングと比較しずれがある場合、前記タイマを修正することを特徴とする請求項１記載の基地局間同期システム。
【請求項４】
前記基地局が、ＰＨＳ（Ｐｅｒｓｏｎａｌ  Ｈａｎｄｙｐｈｏｎｅ  Ｓｙｓｔｅｍ）基地局であることを特徴とする請求項１〜３のいずれか１項に記載の基地局間同期システム。
【請求項５】
時分割多重方式によるフレーム信号を用いた基地局間同期を行う基地局において、
同期先の基地局の識別情報を含むことが可能な同期情報の送受信を行う送信部及び受信部と；
相手局から受信した前記同期情報の中に自局の識別番号の有無を判定し、前記自局の識別番号有りの場合相手局の識別番号を削除し、前記自局の識別番号無しの場合前記相手局を同期先と判定する基地局管理部と；
前記相手局を同期先と判定後、前記相手局からの受信タイミングと自局のタイマのタイミングとを比較し、同期判定及びタイミング補正を行う同期判定タイミング補正部と；
を備えたことを特徴とする基地局。
【請求項６】
前記基地局管理部は、近隣の基地局の前記識別番号と受信レベルのリストを作成することを特徴とする請求項５記載の基地局。
【請求項７】
前記基地局が、ＰＨＳ（Ｐｅｒｓｏｎａｌ  Ｈａｎｄｙｐｈｏｎｅ  Ｓｙｓｔｅｍ）基地局であることを特徴とする請求項５又は請求項６記載の基地局。
【請求項８】
時分割多重方式によるフレーム信号を用いた基地局間同期方法において、
第１の基地局が１フレーム中の少なくとも１つのスロットを使用し、同期先の基地局の識別情報を含むことが可能な同期情報を送信し、
第２の基地局が前記スロットから前記同期情報を受信し、受信した前記同期情報の中に自局の識別番号がないことを確認した上で、前記第１の基地局を基準としてフレームタイミング補正を行うことを特徴とする基地局間同期方法。
【請求項９】
前記第１及び第２の基地局は、毎フレーム毎に前記同期情報の取得及びフレームタイミング補正を行うことを特徴とする請求項８記載の基地局間同期方法。
【請求項１０】
前記フレームタイミング補正は、前記スロットを受信したタイミングと前記第２の基地局が保持するタイマからのタイミングと比較しずれがある場合、前記タイマを修正することを特徴とする請求項８記載の基地局間同期方法。
【請求項１１】
時分割多重方式によるフレーム信号を用いた基地局間同期方法において、
基地局の起動時に制御チャネルを検索し、近隣の基地局の固有にもつ識別番号とその受信レベルのリストを作成するステップと；
前記リスト内でもっとも受信レベルが大きい基地局に対して、同期スロット情報の要求を送信し、その応答から対象となる基地局の同期情報であって、同期先の基地局の識別情報を含むことが可能な同期情報を受信するステップと；
前記同期スロット情報の応答の有無を判定し、前記同期スロット情報の応答がない場合、前記リストから対象基地局の識別番号を削除するステップと；
前記同期スロット情報の応答がある場合、同期スロットから同期情報を受信し、前記同期情報に自局の識別番号が含まれているかどうかを判断するステップと；
前記同期情報に自局の識別番号が含まれている場合、前記リストから前記対象基地局の識別番号を削除するステップと；
前記同期情報に自局の識別番号が含まれていない場合は、フレームごとにタイミング補正を行い、制御チャネル送信を開始するステップと；
を備えたことを特徴とする基地局間同期方法。
【請求項１２】
前記基地局が、ＰＨＳ（Ｐｅｒｓｏｎａｌ  Ｈａｎｄｙｐｈｏｎｅ  Ｓｙｓｔｅｍ）基地局であることを特徴とする請求項８〜１１のいずれか１項に記載の基地局間同期方法。
【発明の詳細な説明】
【技術分野】
【０００１】
本発明は基地局間同期システム、基地局及びその方法に関し、特に同期情報の送受信を行うことで基地局間同期を行う基地局間同期システム、基地局及びその方法に関する。
【背景技術】
【０００２】
一般に、複数の基地局を設け、各基地局が移動局との間で時分割多重（ＴＤＭＡ：Ｔｉｍｅ  Ｄｉｖｉｓｉｏｎ  Ｍｕｌｔｉｐｌｅ  Ａｃｃｅｓｓ）方式により送受信を行うＰＨＳ（Ｐｅｒｓｏｎａｌ  Ｈａｎｄｙｐｈｏｎｅ  Ｓｙｓｔｅｍ）等の移動体通信システムでは、各基地局の送受信信号のフレーム同期がとれていないと、フレーム内の連続する複数のタイムスロットが相互に干渉を受けることになる。
【０００３】
また、イーサネット（登録商標）ＬＡＮ接続型のＰＨＳ基地局では、イーサネット（登録商標）が非同期回線であるため、基地局間でＴＤＭＡフレームの同期を取る必要がある。従来のイーサネット（登録商標）ＬＡＮ接続型のＰＨＳ基地局は、他のＰＨＳ基地局が送信している制御チャネルを受信することで、ＴＤＭＡフレームタイミングの補正を行っている（例えば、特許文献１参照。）。
【０００４】
しかし、特許文献１では、ＰＨＳ基地局の制御チャネルは連続的にフレーム送信されるのではなく、間欠的にフレーム送信されるため、以下のような問題が生じる。
【０００５】
つまり、同期先のＰＨＳ基地局に対して自局がＴＤＭＡフレームタイミングの補正を行うと、その瞬間自局の送信タイミングも若干ずれることになる。タイミング補正を行う周期が長いほどこのずれも大きくなり、タイミング補正を行ったＰＨＳ基地局に対して接続しているＰＨＳ子機及びそのＰＨＳ基地局を基準としてタイミング補正を行っているＰＨＳ基地局に対して受信エラーを引き起こす要因となる。受信エラーは、ＰＨＳ子機に対しては、ノイズ、ハンドオーバ及び呼切断の原因となる。また、ＰＨＳ基地局に対しては、同期外れの原因となる。
【０００６】
さらに、同期先のＰＨＳ基地局の受信品質が良くない場合は、受信エラーによりタイミング補正を行えないケースが発生する。タイミング補正を行う周期が長い場合は、１度の受信エラーによる影響が大きくなる。例えば、タイミング補正周期が１５０ｍｓの場合、１度の受信エラーが発生すると、次の１５０ｍｓ間でタイミング補正を行うことになるので、タイミング補正に３００ｍｓ間の時間を要することになる。
【０００７】
また、同期先のＰＨＳ基地局を選択する際は、自局に同期しているＰＨＳ基地局を選択してしまうと同期が安定しないため、自局に同期していないＰＨＳ基地局を選択する必要がある。しかし、制御チャネルを使用する方式では、無線上で他のＰＨＳ基地局に通知できる情報量はわずかである。このため、確実に選択するためには、併行してＬＡＮ上で制御情報を個別にやりとりする必要がある。例えば、ＣＳＩＤ（Ｃｅｌｌ  Ｓｔａｔｉｏｎ  Ｉｄｅｎｔｉｆｉｅｒ）とＩＰ（Ｉｎｔｅｒｎｅｔ  Ｐｒｏｔｏｃｏｌ）アドレスとの対応づけを管理するしくみを構築する必要がある。
【０００８】
【特許文献１】特開２００３−３１９４５１号公報（第５−６頁、第９−１３頁）
【発明の開示】
【発明が解決しようとする課題】
【０００９】
上述した従来の基地局間同期システム及びその方法は、制御チャネルが間欠的にフレーム送信されるためタイミング補正時のずれが大きく、受信品質が良くない環境においては顕著に通信中のＰＨＳ子機に悪影響を及ぼしやすいという欠点を有している。
【００１０】
また、制御チャネルで送信できる同期情報量は限られているので、確実に適切な同期が取れる保障がないという欠点を有している。
【００１１】
本発明の目的は、タイミング補正時のずれを小さくする基地局間同期システム、基地局及びその方法を提供することにある。
【課題を解決するための手段】
【００１３】
本発明の基地局間同期システムは、
時分割多重方式によるフレーム信号を用いた基地局間同期システムにおいて、１フレーム中の少なくとも１つのスロットを使用し、同期先の基地局の識別情報を含むことが可能な同期情報を送信する第１の基地局と、前記スロットから前記同期情報を受信する第２の基地局とを備え、前記第２の基地局は、この同期情報の中に自局の識別番号がないことを確認した上で、前記第１の基地局を基準としてフレームタイミング補正を行うタイミング補正手段を含むことを特徴としている。
【００１８】
本発明の基地局は、
時分割多重方式によるフレーム信号を用いた基地局間同期を行う基地局において、
同期先の基地局の識別情報を含むことが可能な同期情報の送受信を行う送信部及び受信部と；
相手局から受信した前記同期情報の中に自局の識別番号の有無を判定し、前記自局の識別番号有りの場合相手局の識別番号を削除し、前記自局の識別番号無しの場合前記相手局を同期先と判定する基地局管理部と；
前記相手局を同期先と判定後、前記相手局からの受信タイミングと自局のタイマのタイミングとを比較し、同期判定及びタイミング補正を行う同期判定タイミング補正部と；
を備えたことを特徴としている。
【００２２】
本発明の基地局間同期方法は、
時分割多重方式によるフレーム信号を用いた基地局間同期方法において、
第１の基地局が１フレーム中の少なくとも１つのスロットを使用し、同期先の基地局の識別情報を含むことが可能な同期情報を送信し、
第２の基地局が前記スロットから前記同期情報を受信し、受信した前記同期情報の中に自局の識別番号がないことを確認した上で、前記第１の基地局を基準としてフレームタイミング補正を行うことを特徴としている。
【００２６】
本発明の基地局間同期方法は、
時分割多重方式によるフレーム信号を用いた基地局間同期方法において、
基地局の起動時に制御チャネルを検索し、近隣の基地局の固有にもつ識別番号とその受信レベルのリストを作成するステップと；
前記リスト内でもっとも受信レベルが大きい基地局に対して、同期スロット情報の要求を送信し、その応答から対象となる基地局の同期情報であって、同期先の基地局の識別情報を含むことが可能な同期情報を受信するステップと；
前記同期スロット情報の応答の有無を判定し、前記同期スロット情報の応答がない場合、前記リストから対象基地局の識別番号を削除するステップと；
前記同期スロット情報の応答がある場合、同期スロットから同期情報を受信し、前記同期情報に自局の識別番号が含まれているかどうかを判断するステップと；
前記同期情報に自局の識別番号が含まれている場合、前記リストから前記対象基地局の識別番号を削除するステップと；
前記同期情報に自局の識別番号が含まれていない場合は、フレームごとにタイミング補正を行い、制御チャネル送信を開始するステップと；
を備えたことを特徴としている。
【発明の効果】
【００２８】
本発明の基地局間同期システム、基地局及びその方法は、１フレーム中の１スロットを同期用に用い、この同期用のスロットを用いてフレームごとにタイミング補正を行うことで、タイミング補正時のずれを小さくする。
【発明を実施するための最良の形態】
【００２９】
次に、本発明の実施の形態について図面を参照して説明する。
【００３０】
図１は本発明の基地局間同期システム及びその方法の一つの実施の形態を示すブロック図である。
【００３１】
図１に示す本実施の形態は、ＰＨＳ基地局１０，２０，３０と、ＰＨＳ子機１１，２１，３１と、イーサネット（登録商標）ＬＡＮ４０と、ＰＢＸ５０とから構成されている。
【００３２】
ＰＨＳ基地局１０、ＰＨＳ基地局２０、ＰＨＳ基地局３０がイーサネット（登録商標）ＬＡＮ４０に接続し、イーサネット（登録商標）ＬＡＮ４０を介して同期情報を用い同期通信を行う。ＰＨＳ子機１１はＰＨＳ基地局１０と通信を行う。ＰＨＳ子機２１はＰＨＳ基地局２０と通信を行う。
ＰＨＳ子機３１はＰＨＳ基地局３０と通信を行う。ＰＢＸ５０はイーサネット（登録商標）ＬＡＮ４０と接続し、公衆デジタル通信網（図示せず）と回線交換を行う。
【００３３】
図２は図１のＰＨＳ基地局の詳細ブロック図である。
【００３４】
図２を参照すると、ＰＨＳ基地局１０，２０，３０の各々は、ＬＡＮインタフェース部１０１と、子機インタフェース部１０２と、送信部１０３と、受信部１０４と、基地局管理部１０５と、同期判定タイミング補正部１０６と、タイマ１０７とを有している。
【００３５】
ＬＡＮインタフェース部１０１はイーサネット（登録商標）ＬＡＮ４０との送受信インタフェースを行う。子機インタフェース部１０２はＰＨＳ子機１１，２１，３１との送受信インタフェースを行う。送信部１０３はＰＨＳ基地局、ＰＨＳ子機へのデータ送信を行う。受信部１０４は他のＰＨＳ基地局、ＰＨＳ子機からのデータ受信を行う。基地局管理部１０５は近隣のＰＨＳ基地局であるＣＳのＣＳＩＤ（Ｃｅｌｌ  Ｓｔａｔｉｏｎ  Ｉｄｅｎｔｉｆｉｅｒ）とその受信レベルのリストの作成等や、ＰＨＳ基地局全体の管理制御を行う。同期判定タイミング補正部１０６は同期の判定、タイミング補正処理を行う。タイマ１０７はタイミング補正用のタイミング信号を生成する。
【００３６】
図１において、ＰＨＳ基地局１０は１フレーム中のスロットの１つを使用し、自局の同期情報を送信する。ＰＨＳ基地局２０はＰＨＳ基地局１０が送信する同期情報を受信することで、同期先として相手のＰＨＳ基地局１０が相応しいかの判定を行った後、自局のＴＤＭＡフレームのタイミングの補正を行う。
【００３７】
次にタイミング補正を行う動作について説明する。
【００３８】
自局が保持する図２のタイマ１０７からのタイミングと、同期先ＰＨＳ基地局のスロットを受信したタイミングを同期判定タイミング補正部１０６で比較し、ズレが有れば自局のタイマ１０７を修正する。
【００３９】
例えば、タイミングｔ１で同期先スロットを受信するところを、ｔ２のタイミングで受信した場合、自局のタイマ１０７をｔ２→ｔ１にリセットする。つまり、同期先スロットを受信した瞬間がｔ１になるように補正する動作となる。
【００４０】
このようにして、ＰＨＳ基地局はフレームごとに同期情報の取得及びＴＤＭＡフレームタイミングの補正を行うことができるようにしているので、ふさわしくない同期先の選択や一時的な受信品質の劣化による基準タイミングの喪失（同期外れ）を防ぐことができる。したがって、ＰＨＳ基地局間をイーサネット（登録商標）ＬＡＮ経由で接続するシステムではＰＨＳ基地局のみで自立的に安定した同期状態を保つことができる。
【００４１】
次に、図１を参照して本実施の形態の動作をより詳細に説明する。
【００４２】
ＰＨＳ基地局１０は同期情報を他のＰＨＳ基地局に対して送信する。ＰＨＳ基地局２０は、ＰＨＳ基地局１０の送信した同期情報を受信し、同期情報の中に自局（ＰＨＳ基地局２０）のＣＳＩＤ（Ｃｅｌｌ  Ｓｔａｔｉｏｎ  Ｉｄｅｎｔｉｆｉｅｒ）が無いことを確認する。無いことを確認した上で、ＰＨＳ基地局２０はＰＨＳ基地局１０を基準としてＴＤＭＡフレームのタイミング補正を行い、同期情報を他のＰＨＳ基地局に対して送信する。ＣＳＩＤは各ＰＨＳ基地局が固有にもつ識別番号である。
【００４３】
図３は同期情報の受信及び送信を示すフレームフォーマットの図である。
【００４４】
ＰＨＳでは１フレーム（５ｍｓ）が８スロット（０〜７）で構成されており、１スロットは６２５μｓの時間幅である。スロット０〜３は上り回線（子機→基地局）に、スロット４〜７は下り回線（基地局→子機）の通信に使用される。１つのＰＨＳ基地局は４スロットを使用して同時に４通話分の回線を保有するが、１スロットは制御情報用として専用に使用されるので、通話用として３スロット使用することで３回線になる。
【００４５】
本発明は、さらに通話用スロットから１スロットを使用し、１回線（１チャネル）を基地局間の同期用として使用しているので、通話用スロットは２回線になる。
なお、通話用スロットの１つを同期用スロットとして使用するが、この通話用スロットの名称は必ずしも常に通話専用に使用されるものではなく、通話以外のデータにも使用される。ここではＰＨＳを対象としているので、通話音声データとして通話用スロットと呼称している。
【００４６】
図４は図３のフレームフォーマットでのスロット構成を示す図である。
【００４７】
図４に示すとおり、１スロットは６２５μｓの時間幅であり、２４０ｂｉｔのデータから構成されている。同期用のスロットとして、Ｉフレーム内の１８０ｂｉｔに同期情報を格納する。図４に記載されているＲ，ＳＳ，ＰＲ，ＵＷ，ＣＲＣ，Ｇ，ＣＩ，ＳＡについては、ＰＨＳの規格であるＲＣＲ  ＳＴＤ−２８に規定されている。図４の中の各ブロックの数字はビット数を表す。
【００４８】
なお、各記号の「Ｒ」は過渡応答用ランプタイム、「ＳＳ」はスタートシンボル、「ＰＲ」はプリアンブル、「ＵＷ」は同期ワード、「ＣＲＣ」はエラー検出用巡回冗長符号、「Ｇ」はガードビットを示す。「Ｉ」フレームを構成する「ＣＩ」はチャネル種別、「ＳＡ」は低速付随制御チャネル（ＳＡＣＣＨ）を意味する。
【００４９】
同期情報は、同期スロット情報と同期先ＣＳＩＤ情報の２つからなる。同期用スロットはマルチフレーム構成をとることが可能であり、そのためのフレーム番号情報は同期スロット情報として格納される。同期先ＣＳＩＤ情報部には、同期先のＰＨＳ基地局のＣＳＩＤが格納される。
【００５０】
例として、４２ｂｉｔのＣＳＩＤを格納する場合、１フレームで３個のＣＳＩＤを格納することが可能である。これはスロット内に、同期先ＣＳＩＤ情報用として１４４ｂｉｔ確保しているので、４２×３＝１２６であるから１フレームで３台分までの同期を確保できることになる。
【００５１】
次に図３において、ＰＨＳ基地局１０はスロット１により同期情報を送信し、ＰＨＳ基地局２０はスロット１によりＰＨＳ基地局１０の同期情報を受信する。ＰＨＳ基地局２０は４スロット後の同じチャネル位置に相当するスロット５により同期情報をＰＨＳ基地局３０に送信する。ＰＨＳ基地局３０は、スロット５によりＰＨＳ基地局２０の同期情報を受信し、４スロット後のスロット１により同期情報を他のＰＨＳ基地局に送信する。以降、ＰＨＳ基地局は上述の動作を繰り返す。
【００５２】
また、上記実施の形態では、同期情報を送信する同期用スロットにスロット１、スロット５を使用しているが、制御スロット以外のどのスロット（スロット２，６やスロット３，７）を使用してもよい。
【００５３】
図５は本発明の基地局間同期システム及びその方法の動作を示すフローチャートである。
【００５４】
次に図２、図３及び図５を用いてＰＨＳ基地局の動作を説明する。
【００５５】
基地局管理部１０５は、ＰＨＳ基地局（ここではＰＨＳ基地局２０とする）であるＣＳ（Ｃｅｌｌ  Ｓｔａｔｉｏｎ）を起動した直後は（ステップＳ１）、まず制御チャネルを検索し、近隣のＣＳのＣＳＩＤ（Ｃｅｌｌ  Ｓｔａｔｉｏｎ  Ｉｄｅｎｔｉｆｉｅｒ）とその受信レベルのリストを作成する（ステップＳ２）。
【００５６】
図６はＰＨＳ基地局のＣＳＩＤと受信レベルの対応を示す図である。
【００５７】
図６は自局の側にいるＰＨＳ基地局のＣＳＩＤとその受信レベルの対応リストを示しており、このリストをもとに同期先を示すことになる。
【００５８】
ここでＣＳはＰＨＳ基地局を示し、ＣＳＩＤは各ＰＨＳ基地局が固有にもつ識別番号を示す。次に基地局管理部１０５はリストが空かどうかを判定する（ステップＳ３）。基地局管理部１０５はリストが空であれば、自走内部クロックによりタイミングをとり（ステップＳ１０）、ステップＳ１１に進み送信部１０３を制御し制御チャネル送信を開始する。基地局管理部１０５はリストが空でなければ、リスト内でもっとも受信レベルが大きいＣＳ（例えばＰＨＳ基地局１０）に対して、同期スロット位置情報の要求を送信部１０３により送信する（ステップＳ４）。ここで、同期スロット位置情報とは、図３の同期用スロット番号（図３の場合、スロット１）を示す。
【００５９】
次に、基地局管理部１０５は同期スロット位置情報の応答の有無を判定し（ステップＳ５）、ステップＳ５で同期スロット位置情報の応答がない場合、リストから対象（ＰＨＳ基地局１０）のＣＳＩＤを削除し（ステップＳ８）、ステップＳ３に戻る。
【００６０】
基地局管理部１０５はステップＳ５で同期スロット位置情報の応答がある場合、同期スロットから同期情報を受信し（ステップＳ６）、同期情報に自局（ＰＨＳ基地局２０）のＣＳＩＤが含まれているかどうかを判断する（ステップＳ７）。
【００６１】
ステップＳ７で、基地局管理部１０５は同期情報に自局のＣＳＩＤが含まれている場合、リストから同期情報の応答があったＣＳ（ＰＨＳ基地局１０）のＣＳＩＤを削除する。つまりリストからこのＣＳの項目を削除し、同期先の対象のＣＳを変更するため、ステップＳ３に戻る（ステップＳ８）。この動作の理由については図７を用いて後述する。
【００６２】
また、ステップＳ７で自局のＣＳＩＤが含まれていない場合は、基地局管理部１０５はこの情報を同期判定タイミング補正部１０６に送出し、同期判定タイミング補正部１０６は同期スロット（図３のスロット１）でフレームごとにタイミング補正を行う（ステップＳ９）。次に制御チャネル送信を開始する（ステップＳ１１）。
【００６３】
以後、図３のようにＰＨＳ基地局１０と２０との間でステップＳ３からステップＳ１１がフレーム毎に繰り返され、これによりフレーム毎にスロット１による同期の確立を行う。
【００６４】
図７はＰＨＳ基地局間の同期状態を示す図である。
【００６５】
さて、同期情報の中に自局のＣＳＩＤが含まれている基地局に同期すると、同期の輪（同期先を辿っていくと自局にたどり着く）ができる（図７（ａ））。この状態では、同期が安定せず、また複数の同期グループができる可能性がある。同期が安定しないのは、自局がフォールスロック等誤同期した場合、他局全てが誤同期することになるからである。図７（ａ）ではグループＡ、グループＢ間の同期は取れていない。無線同期は原則的にすべてのＰＨＳ基地局で取れている必要があり、その場合、同期状態は図７（ｂ）のようにツリー状（枝分かれしていく状態）になる。
【００６６】
ここで、同期先にふさわしいかどうかの判定について説明する。ＰＨＳで安定したサービスを行うための条件として、「サービスエリア内の全てのＰＨＳ基地局において、無線上のタイミングが同期していること」がある。全てのＰＨＳ基地局の無線上のタイミングが取れているということは、同期状態がツリー状（図７（ｂ））になっていることを意味する。
【００６７】
これを実現するための方法として、外部で同期状態を管理することが考えられるが、そのためには同期状態を管理するための装置（同期管理サーバ）を、サービスエリア毎に用意する必要がある。本発明の方式では、外部で同期状態を管理する装置を必要とせず、各ＰＨＳ基地局が自立的に同期先のＰＨＳ基地局を選択し、かつ、正しい同期状態を保つ（＝同期の輪を避ける）ことができる。
【００６８】
各ＰＨＳ基地局が自立的に同期先を選択する際、図７（ａ）のような同期の輪ができることは避ける必要がある。
【００６９】
本発明では、上述の同期の輪を避けるために、同期先選択時の判定処理（図５のステップＳ７）において、同期先から受け取る同期情報の中に自局のＣＳＩＤが入っていないかをチェックする。入っているのであれば、そのＰＨＳ基地局を同期先に選択すると、同期の輪ができるので、そのＰＨＳ基地局を同期先の候補から削除するということを行う（図５のステップＳ８）。
【００７０】
同期先のＰＨＳ基地局は、距離が近い（つまり受信レベルが大きい）方が安定して同期情報を受信できるので、基本的に最も近いＰＨＳ基地局に同期することになる。距離が遠く離れると、伝送エラーが発生し同期情報を取りこぼす可能性が高くなる。したがって、図５のステップＳ４でリスト内で受信レベルが大きいものから同期可能か否かをチェックすることになる。
図５のステップＳ４でリスト内でもっとも受信レベルが大きいＣＳに対して同期スロット位置情報の要求を送信し、その応答から対象となるＣＳの同期情報を受信する。同期情報に自局のＣＳＩＤが含まれていた場合（図５のステップＳ７）は、リストから本ＣＳの項目を削除し（図５のステップＳ８）、対象を次のＣＳへ変更する。
【００７１】
一方、同期情報に自局のＣＳＩＤが含まれていなかった場合は、同期情報を送ってきたＣＳを同期先ＣＳに決定し、フレームごとに同期用スロットの送信タイミングに合わせて自局のＴＤＭＡフレームタイミングを補正することになる（図５のステップＳ９）。
【００７２】
なお、「同期スロット情報」、「同期先ＣＳＩＤ情報」については、同期先のＰＨＳ基地局からこれまでの同期状態を確認するために使用される。つまり、このＰＨＳ基地局に同期して良いのかどうかを判定するために使用されるものである。
【００７３】
上述の通り、フレームごとにＴＤＭＡフレームタイミングの補正を行おうとしているので、一時的に受信品質が劣化してもタイミング補正時のずれ幅を小さくできる。
【００７４】
また、常に同期用のスロットで同期先ＰＨＳ基地局の同期情報を取得できるので、確実かつ容易に同期先ＣＳの選択が行うことができる。
【００７５】
さらに、全てＰＨＳ基地局内で完結しているため、外部に接続したＰＢＸや他サーバ等において同期に関する処理を行う必要が無い。
【００７６】
同期情報に同期先のＰＨＳ基地局のＣＳＩＤを加えたものを同期用のスロットに入れて送信することで、その情報を受信したＰＨＳ基地局は同期先として同期情報を送った相手局が相応しい基地局であるかどうかを容易に判断できるので、ＰＨＳ基地局で自立的に安定した無線同期状態を実現できる。
【００７７】
なお、本発明は上述の実施の形態に限定されるものではなく、たとえばＬＡＮ接続でない通常のＰＨＳ基地局に対しても適用することができる。
【００７８】
また、本発明は時分割多重（ＴＤＭＡ）方式であり、かつ複数のスロットによりフレーム構成された信号により送受信を行うものであれば、ＰＨＳ通信方式に限定されるものではない。
【図面の簡単な説明】
【００７９】
【図１】本発明の基地局間同期システム及びその方法の一つの実施の形態を示すブロック図である。
【図２】図１のＰＨＳ基地局の詳細ブロック図である。
【図３】同期情報の受信及び送信を示すフレームフォーマットの図である。
【図４】図３のフレームフォーマットでのスロット構成を示す図である。
【図５】本発明の基地局間同期システム及びその方法の動作を示すフローチャートである。
【図６】ＰＨＳ基地局のＣＳＩＤと受信レベルの対応を示す図である。
【図７】ＰＨＳ基地局間の同期状態を示す図で、（ａ）は同期の輪を示す図であり、（ｂ）は正しい同期状態を示す図である。
【符号の説明】
【００８０】
１０，２０，３０    ＰＨＳ基地局
１１，２１，３１    ＰＨＳ子機
４０    イーサネット（登録商標）ＬＡＮ
５０    ＰＢＸ
１０１    ＬＡＮインタフェース部
１０２    子機インタフェース部
１０３    送信部
１０４    受信部
１０５    基地局管理部
１０６    同期判定タイミング補正部
１０７    タイマ
【図１】
0004698297.tif 000002
【図２】
0004698297.tif 000003
【図３】
0004698297.tif 000004
【図４】
0004698297.tif 000005
【図５】
0004698297.tif 000006
【図６】
0004698297.tif 000007
【図７】
0004698297.tif 000008